(57)【要約】【課題】  温度環境変化による長尺部材の変形に起因する液滴着弾位置の精度低下を防止可能な液滴吐出装置を得る。【解決手段】  複数のヘッドユニット１７８が取り付けられた長尺部材１６８は、その一端１６８Ａが固定されるが、他端１６８Ｂはスライド可能に支持される。長尺部材１６８の他端１６８Ｂ側がスライドすることで、長尺部材１６８は湾曲しなくなるので、インク滴の着弾位置の精度低下も防止できる。【選択図】          図２
2006256265.tif 000002
【特許請求の範囲】
【請求項１】
ノズルから液滴を吐出する少なくとも１つの液滴吐出ヘッドと、
前記液滴吐出ヘッドが取り付けられる長尺部材と、
を備えた液滴吐出装置であって、
前記長尺部材の一部が液滴吐出装置の装置本体に対してこの長尺部材の長手方向にスライド可能となるように、長尺部材が装置本体に取り付けられている、
ことを特徴とする液滴吐出装置。
【請求項２】
請求項１に記載の液滴吐出装置であって、
この液滴吐出装置の装置本体を構成する枠体、
を備え、
前記枠体に対し前記長尺部材が取り付けられていることを特徴とする液滴吐出装置。
【請求項３】
前記枠体に設けられ、前記長尺部材の一部を固定する固定手段と、
前記枠体に設けられ、前記長尺部材の一部をスライド可能に支持するスライド支持手段と、
を有することを特徴とする請求項２に記載の液滴吐出装置。
【請求項４】
前記固定手段が、前記長尺部材の一端側を固定し、
前記スライド支持手段が、前記長尺部材の他端側をスライド可能に支持していることを特徴とする請求項３に記載の液滴吐出装置。
【請求項５】
前記固定手段が、前記長尺部材の中央部を固定し、
前記スライド支持手段が、前記長尺部材の両端部をスライド可能に支持していることを特徴とする請求項１〜請求項３のいずれか１項に記載の液滴吐出装置。
【発明の詳細な説明】
【技術分野】
【０００１】
本発明は、液滴吐出装置に関する。
【背景技術】
【０００２】
インクジェット記録装置では、より高速での画像記録を行うために、複数のインクジェット記録ヘッドを紙幅方向に複数並べて固定したものが提案されている。たとえば特許文献１や特許文献２には、記録用紙の全幅に対応してインクの吐出口が設けられたインクジェット記録装置が開示されている。
【０００３】
ところで、複数のインクジェット記録ヘッドを並べて固定するために、長尺状の支持部材（以下「長尺部材」という）を使用することがあるが、長尺部材と、この長尺部材が取付けられるインクジェット記録装置の装置本体側の部分（たとえば枠体）とは、異なる材料で構成されていることが多く、熱膨張係数も異なることが多い。そのため、たとえば製造時と異なる温度環境等で使用した場合には、これら部材ごとに変形量が異なるため、長尺材に湾曲等の変形が生じることがある。この変形により、インクの吐出方向が変化し、用紙上での着弾位置がずれて画質が低下する。また、ノズル面が用紙に接近してしまうと、これらが接触するという不都合が生じることもある。
【０００４】
このような長尺部材の変形を防止するために、長尺部材を枠体に強固に固定すると、枠体に過大な応力が発生してしまう。
【特許文献１】特許第２７５８０６０号公報
【特許文献２】特開２０００−９６４号公報
【発明の開示】
【発明が解決しようとする課題】
【０００５】
本発明は上記事実を考慮し、温度環境変化による長尺部材の変形に起因する液滴着弾位置の精度低下を防止可能な液滴吐出装置を得ることを課題とする。
【課題を解決するための手段】
【０００６】
請求項１に記載の発明では、ノズルから液滴を吐出する少なくとも１つの液滴吐出ヘッドと、前記液滴吐出ヘッドが取り付けられる長尺部材と、を備えた液滴吐出装置であって、前記長尺部材の一部が液滴吐出装置の装置本体に対してこの長尺部材の長手方向にスライド可能となるように、長尺部材が装置本体に取り付けられている、ことを特徴とする。
【０００７】
このように、長尺部材の一部を長手方向にスライド可能とすることで、温度環境変化が生じても長尺部材の湾曲等の変形を防止することができる。このため、長尺部材に取り付けられた液滴吐出ヘッドからの液滴吐出方向も変化しないため、液滴着弾位置の精度低下を防止できる。
【０００８】
なお、長尺部材は、液滴吐出装置の装置本体に直接取り付けられていてもよいが、請求項２に記載のように、液滴吐出装置が装置本体を構成する枠体を備えるようにし、この枠体に長尺部材を取り付けるように構成することができる。
【０００９】
また、長尺部材の長さは特に限定されないが、少なくとも、液滴吐出ヘッドがその長手方向に取り付けられて確実に支持される長さを有していることが好ましい。特に、記録媒体の全幅にわたる画像記録が可能な程度の数の液滴吐出ヘッドを取付可能な長さを有していれば、いわゆるＦＷＡでの画像記録が可能となるので、好ましい。
【００１０】
液滴吐出ヘッドとしては、長尺部材に少なくとも１つ取り付けられるものであればよく、単体で長尺状とされていてもよい。もちろん、複数の液滴吐出ヘッドが長尺部材に取り付けられることで、全体として長尺状となるようなものも含まれる。
【００１１】
また、請求項２に記載の発明において、請求項３に記載のように、前記枠体に設けられ、前記長尺部材の一部を固定する固定手段と、前記枠体に設けられ、前記長尺部材の一部をスライド可能に支持するスライド支持手段と、を有する構成としてもよい。この構成では、筐体に、長尺部材の一部を固定するための構造や、スライド可能に支持するための構造を設ける必要がなくなるので、製造が容易になる。
【００１２】
請求項４に記載の発明では、請求項３に記載の発明において、前記固定手段が、前記長尺部材の一端側を固定し、前記スライド支持手段が、前記長尺部材の他端側をスライド可能に支持していることを特徴とする。
【００１３】
このように、長尺部材の一端を固定し、他端をスライド可能とするだけの簡単な構成でで、長尺部材の湾曲やくびれを防止することができる。
【００１４】
請求項５に記載の発明では、請求項３に記載の発明において、前記固定手段が、前記長尺部材の中央部を固定し、前記スライド支持手段が、前記長尺部材の両端部をスライド可能に支持していることを特徴とする。
【００１５】
この構成では、両端部のそれそれのスライド量が、一端側を固定して他端側をスライド可能にした構成での、他端側のスライド量と比較して少なくなる。したがって、液滴の着弾位置ずれをより小さくすることが可能となる。
【発明の効果】
【００１６】
本発明は上記構成としたので、温度環境変化による長尺部材の変形に起因する液滴着弾位置の精度低下を防止できる。
【発明を実施するための最良の形態】
【００１７】
図１には、本発明の第１実施形態のインクジェット記録装置１１２が示されている。インクジェット記録装置１１２の筐体１１４内の下部には給紙トレイ１１６が備えられており、給紙トレイ１１６内に積層された用紙Ｐをピックアップロール１１８で１枚ずつ取り出すことができる。取り出された用紙Ｐは、所定の搬送経路１２２を構成する複数の搬送ローラ対１２０で搬送される。以下、単に「搬送方向」というときは、記録媒体である用紙Ｐの搬送方向をいい、「上流」、「下流」というときはそれぞれ、搬送方向の上流及び下流を意味するものとする。
【００１８】
給紙トレイ１１６の上方には、駆動ロール１２４及び従動ロール１２６に張架された無端状の搬送ベルト１２８が配置されている。搬送ベルト１２８の上方には記録ヘッドアレイ１３０が配置されており、搬送ベルト１２８の平坦部分１２８Ｆに対向している。この対向した領域が、記録ヘッドアレイ１３０からインク滴が吐出される吐出領域ＳＥとなっている。搬送経路１２２を搬送された用紙Ｐは、搬送ベルト１２８で保持されてこの吐出領域ＳＥに至り、記録ヘッドアレイ１３０に対向した状態で、記録ヘッドアレイ１３０から画像情報に応じたインク滴が付着される。
【００１９】
そして、用紙Ｐを搬送ベルト１２８で保持した状態で周回させることで、吐出領域ＳＥ内に複数回通過させて、いわゆるマルチパスによる画像記録を行うことも可能となっている。もちろん、用紙Ｐを吐出領域ＳＥ内に１回のみ通過させて、いわゆる１パスで画像記録を行っても良い。
【００２０】
記録ヘッドアレイ１３０は、本実施形態では、有効な記録領域が用紙Ｐの幅（搬送方向と直交する方向の長さ）以上とされた長尺状で、いわゆるＦＷＡ（Ｆｕｌｌ  Ｗｉｄｔｈ  Ａｒｒａｙ）となっている。記録ヘッドアレイ１３０内には、イエロー（Ｙ）、マゼンタ（Ｍ）、サイアン（Ｓ）、及びブラック（Ｋ）の４色それぞれに対応した４つのインクジェット記録ヘッド１３２が搬送方向に沿って配置されており、フルカラーの画像を記録可能になっている。なお、それぞれのインクジェット記録ヘッド１３２においてインク滴を吐出する方法は特に限定されず、いわゆるサーマル方式や圧電方式等、公知のものを適用できる。
【００２１】
各インクジェット記録ヘッド１３２は、図示しない記録ヘッド制御手段によって制御されるようになっている。記録ヘッド制御手段は、たとえば、画像情報に応じてインク滴の吐出タイミングや使用するインク吐出口（ノズル）を決め、駆動信号をインクジェット記録ヘッド１３２に送る。
【００２２】
また、記録ヘッドアレイ１３０は、搬送方向と直交する方向に不動とされていてもよいが、必要に応じて移動するように構成しておくと、マルチパスによる画像記録で、より解像度の高い画像を記録したり、インクジェット記録ヘッド１３２の不具合を記録結果に反映させないようにしたりできる。
【００２３】
記録ヘッドアレイ１３０の上流側には、図示しない電源が接続された帯電ロール１３６が配置されている。帯電ロール１３６は、従動ロール１２６との間で搬送ベルト１２８及び用紙Ｐを挟みつつ従動し、用紙Ｐを搬送ベルト１２８に押圧する押圧位置と、搬送ベルト１２８から離間した離間位置との間を移動可能とされている。押圧位置では、接地された従動ロール１２６との間に所定の電位差が生じるため、用紙Ｐに電荷を与えて搬送ベルト１２８に静電吸着させることができる。
【００２４】
また、電源は、用紙Ｐを所定電位に帯電させることが可能であれば、直流電源でも交流電源でもよい。
【００２５】
なお、帯電ロール１３６よりもさらに上流側には、図示しないレジロールが設けられており、用紙Ｐが搬送ベルト１２８と帯電ロール１３６との間に至る前に位置合わせされる。
【００２６】
記録ヘッドアレイ１３０の下流側には、剥離プレート１４０が配置されており、用紙Ｐを搬送ベルト１２８から剥離することができる。
【００２７】
剥離された用紙Ｐは、剥離プレート１４０の下流側で排出経路１４４を構成する複数の排出ローラ対１４２で搬送され、筐体１１４の上部に設けられた排紙トレイ１４６に排出される。
【００２８】
剥離プレート１４０の下方には、駆動ロール１２４との間で搬送ベルト１２８を挟持可能なクリーニングロール１４８が配置されており、搬送ベルト１２８の表面をクリーニングするようになっている。
【００２９】
給紙トレイ１１６と搬送ベルト１２８の間には、複数の反転用ローラ対１５０で構成された反転経路１５２が設けられており、片面に画像記録された用紙Ｐを反転させて搬送ベルト１２８に保持させることで、用紙Ｐの両面への画像記録を容易に行えるようになっている。
【００３０】
搬送ベルト１２８と排紙トレイ１４６の間には、４色の各インクをそれぞれ貯留するインクタンク１５４が設けられている。インクタンク１５４のインクは、図示しないインク供給配管によって、記録ヘッドアレイ１３０に供給される。インクとしては、水性インク、油性インク、溶剤系インク等、公知の各種インクを使用できる。
【００３１】
インクジェット記録ヘッド１３２は、図２に示すように、長方形の枠体１５６を有している。枠体１５６は、用紙Ｐの搬送方向と直交する方向が長辺１５８の長手方向となる向きで、搬送ベルト１２８の平坦部分１２８Ｆと対向するように配置されている。
【００３２】
枠体１５６の一方の短辺１６０Ａには、ブロック状の固定支持部材１６４が複数取り付けられており、他方の短辺１６０Ｂにも、同じくブロック状のスライド支持部材１６６が固定支持部材１６４と同数取り付けられている。そして、固定支持部材１６４とスライド支持部材１６６との下面側において、これらの間に、固定支持部材１６４と同数の長尺部材１６８が掛け渡されている。長尺部材１６４は、紙送り方向に一定間隔をあけて配置されている。
【００３３】
固定支持部材１６４にはネジ孔１６４Ｈが形成されており、ネジ１７０を長尺部材１６８の一端１６８Ａに螺合することで、長尺部材１６８がこの一端１６８Ａ側で固定支持部材１６４に固定されるようになっている。
【００３４】
これに対し、図３（Ａ）及び（Ｂ）にも詳細に示すように、スライド支持部材１６６の下面には、いわゆる蟻溝状の溝部１７２が長尺部材１６８の長手方向に沿って形成されており、長尺部材１６８の他端１６８Ｂ側の上面には、溝部１７２に係合する突条１７４が形成されている。したがって、図４にも概念的に示すように、本実施形態のインクジェット記録ヘッド１３２では、突条１７４を溝部１７２に収容させて係合させると、突条１７４は溝部１７２からは不用意に抜けなくなるが、長尺部材１６８の他端１６８Ｂ側は、長手方向に沿ってスライド可能となる。
【００３５】
長尺部材１６８には、長手方向に沿って複数のヘッド取付部１７６が形成されており、このヘッド取付部１７６のそれぞれに、ヘッドユニット１７８が取り付けられている。したがって、ヘッドユニット１７８のそれぞれは、単体で用紙Ｐの紙幅を有していないが、複数のヘッドユニット１７８を紙幅方向に並べて配置することで、紙幅以上の画像記録領域を得られるようになっている。すなわち、インクジェット記録ヘッド１３２が用紙Ｐの幅方向に沿って移動しなくても、用紙Ｐの移動のみによって用紙Ｐの全面に画像が形成できるので、高い生産性を得ることができる。
【００３６】
このような全体構成とされた本実施形態のインクジェット記録装置１１２では、上記したように、給紙トレイ１１６から取り出された用紙Ｐが搬送され、搬送ベルト１２８に至る。そして、帯電ロール１３６によって搬送ベルト１２８に押し付けられると共に、帯電ロール１３６からの印加電圧によって搬送ベルト１２８に吸着（密着）して保持される。この状態で、搬送ベルトの循環によって用紙Ｐが吐出領域ＳＥを通過しつつ、記録ヘッドアレイ１３０からインク滴が吐出されて、用紙Ｐ上に画像が記録される。１パスのみで画像記録する場合には、剥離プレート１４０で用紙Ｐを搬送ベルト１２８から剥離し、排出ローラ対１４２で搬送して排紙トレイ１４６に排出する。これに対し、マルチパスで画像記録を行う場合には、必要な回数に達するまで用紙Ｐを周回させて吐出領域ＳＥを通過させた後、剥離プレート１４０で用紙Ｐを搬送ベルト１２８から剥離し、排出ローラ対１４２で搬送して排紙トレイ１４６に排出する。
【００３７】
ここで、本実施形態のインクジェット記録ヘッド１３２では、長尺部材１６８と枠体１５６とが、それぞれに求められる物性やコストを考慮して、それぞれに好ましい材料で構成されている。このため、インクジェット記録装置１１２が、製造時とは異なる温度環境下で使用されると、長尺部材１６８や枠体１５６の熱膨張係数の違いから、それぞれに異なった変形を示す。たとえば、枠体１５６が長尺部材１６８よりも熱膨張係数が小さい場合において、長尺部材１６８の両端を枠体１５６に強固に固定してしまった構成では、長尺部材１６８が湾曲してしまうため、ヘッドユニット１７８から吐出されるインク滴の用紙Ｐ上での着弾位置も変化してしまう。
【００３８】
図５（Ｂ）には、一例として、上記したように枠体１５６が長尺部材１６８よりも熱膨張係数が小さく、且つヘッドユニット１７８の剛性も長尺部材１６８と比較して十分に低い構成で、且つインクジェット記録ヘッドの使用環境が、製造時よりも高い温度であった場合の、長尺部材１６８の変形（中央部分が下方（用紙Ｐへの接近方向）へと下がっている）と、インク滴の吐出方向の変化（着弾位置のずれ）が模式的に示されている。
【００３９】
長尺部材１６８の中央近傍では、ヘッドユニット１７８が単に下方へと移動しているだけであるため、着弾位置のずれは小さいが、両端へと近づくにつれ、インク滴吐出方向を示す矢印ＪＤが斜めに傾いていることからも分かるように、着弾位置が紙幅方向にずれている。このように、用紙Ｐの幅方向中央部分と端部とで着弾位置がずれることで、用紙Ｐ上に記録される画像の画質も低下する。
【００４０】
また、紙幅方向だけでなく、紙送り方向にも、インク滴の着弾位置がずれるおそれがあり、この場合には、さらに画質が低下する。
【００４１】
加えて、長尺部材１６８の中央部分ではヘッドユニット１７８が用紙Ｐに接近して、ノズル面と用紙Ｐとの距離ＴＤが変化するため、用紙Ｐがノズル面に接触するなどの不都合が生じることもある。
【００４２】
これに対し、本実施形態では、上記したように、長尺部材１６８の一端１６８Ａ側のみ固定し、他端１６８Ｂ側は長手方向にスライドする構成としている。このため、長尺部材１６８と枠体１５６とで膨張量が異なっていても、長尺部材１６８の他端１６８Ｂ側がスライドすることでこれが吸収され、長尺部材１６８は湾曲しなくなる。
【００４３】
図５（Ａ）には、本実施形態において、長尺部材１６８の他端１６８Ｂ側がスライドした場合のインク滴の吐出方向の変化（着弾位置のずれ）が示されている。
【００４４】
本実施形態では、長尺部材１６８の他端１６８Ｂ側がスライドするため、矢印ＪＤからも分かるように、長尺部材１６８に位置に関わらず、インク滴の吐出方向は一定になっている。そして、長尺部材１６８のスライドによって、インク滴の着弾位置は全体として紙幅方向に僅かに広がるが、この広がりは均等であるため、高い画質を維持できる。
【００４５】
また、長尺部材１６８が湾曲しないので、紙送り方向にも、インク滴の着弾位置がずれることはなく、この点でも高画質の画像を記録できる。
【００４６】
加えて、長尺部材１６８が湾曲しないため、ノズル面と用紙Ｐとの距離ＴＤも変化せず、用紙Ｐがノズル面に接触するなどの不都合が生じることもない。
【００４７】
図６には、本発明の第２実施形態のインクジェット記録ヘッド１９２が部分的に示されている。
【００４８】
第２実施形態のインクジェット記録ヘッド１９２では、枠体１５６の長手方向中央に支持辺１６２が掛け渡されている。この支持辺１６２には、ブロック状の固定支持部材１６４が取り付けられており、ネジ１７０を固定支持部材１６４のネジ孔１６４Ｈに挿通して（ネジ１７０及びネジ孔１６４Ｈは、図６では図示省略、図２参照）長尺部材１６８に螺合することで、長尺部材１６８が中央部分で固定支持部材１６４に固定されるようになっている。
【００４９】
また、第２実施形態では、枠体１５６の短辺１６０Ａ、１６０Ｂのそれぞれに、ブロック状のスライド支持部材１６６が取り付けられている。そして、長尺部材１６８の両端に形成された突条１７４が、スライド支持部材１６６の溝部１７２に収容されて係合され、長尺部材１６８の両端において、長手方向に沿ってスライド可能となっている。
【００５０】
上記以外は、第１実施形態と同一の構成とされている。
【００５１】
このような構成とされた第２実施形態においても、第１実施形態と同様に、製造時と異なる温度環境化で使用されても長尺部材１６８が湾曲しないので、インク滴の吐出方向は一定になり、高い画質を維持できる。
【００５２】
また、長尺部材１６８が湾曲しないので、紙送り方向にも、インク滴の着弾位置がずれることはなく、この点でも高画質の画像を記録できる。
【００５３】
加えて、長尺部材１６８が湾曲しないため、ノズル面と用紙Ｐとの距離ＴＤも全く変化せず、用紙Ｐがノズル面に接触するなどの不都合が生じることもない。
【００５４】
特に第２実施形態では、第１実施形態と比較して、長尺部材１６８の両端部それぞれでの長手方向の変位量が、第１実施形態での長尺部材１６８の他端１６８Ｂの変位量よりも小さくなる。このため、紙幅方向へのインク滴の着弾位置のずれも第１実施形態より小さくなり、さらに高画質の画像を記録可能となる。たとえば、異なる色に対応するインクジェット記録ヘッド１３２を紙送り方向に並べて配置した構成では、それぞれの色にインク滴ごとに、紙幅方向へのズレ量が異なると、いわゆる色ずれが発生するが、第２実施形態では、色ごとの紙幅方向へのズレ量が小さいので、色ずれも少なくなる。すなわち、第２実施形態では、フルカラー等の複数色での画像記録を行う場合に、特に好ましい。
【００５５】
なお、第２実施形態において、固定支持部材１６４によって長尺部材１６８を固定する位置は、厳密に長尺部材１６８の長手方向中央である必要はない。すなわち、中央からずれた位置であっても、他端１６８Ｂよりも中央寄りの位置であれば、両端でのインク滴の着弾位置ずれを第１実施形態よりも小さくできる。もちろん、中央にすれば、この着弾位置ずれが最小となるので、特に好ましい。ただし、長尺部材１６８を固定支持部材１６４に取り付ける作業に関しては、中央寄りとなるに従って困難になることもある。したがって、インク滴の着弾位置ずれ量と、取付作業の容易さを勘案して、好ましい位置で長尺部材１６８を固定すればよい。
【００５６】
上記では、長尺部材１６８が枠体１５６、固定支持部材１６４及びスライド支持部材１６６を介してインクジェット記録装置の装置本体に取り付けられているものを例に挙げたが、たとえば、枠体１５６を省略して、固定支持部材１６４及びスライド支持部材１６６を装置本体に直接取り付けてもよい。ただし、枠体１５６を介在させると、一旦長尺部材１６８を枠体１５６に取り付けた状態で、これらを一体として装置本体に取り付けできるので、取り付けの容易さの観点からは好ましい。
【００５７】
また、固定支持部材１６４やスライド支持部材１６６を介在させることなく、長尺部材１６８を枠体１５６に直接取り付けてもよい。ただし、この場合には、たとえば枠体１５６に溝部１７２を形成する必要が生じるため、枠体１５６の成形・加工が困難になることがある。したがって、枠体１５６と長尺部材１６８との間に固定支持部材１６４やスライド支持部材１６６を介在させることが好ましい。
【００５８】
また、上記各実施形態では、本発明の液滴吐出装置として、ブラック、イエロー、マゼンタ、シアンの各色のインク滴を吐出するインクジェット記録ヘッドを備えたインクジェット記録装置を挙げたが、本発明の液滴吐出ヘッド及び液滴吐出装置は、記録用紙Ｐ上へ画像（文字を含む）を記録するものに限定されない。すなわち、記録媒体は紙に限定されるものでなく、また、吐出する液体もインクに限定されるものではない。例えば、インク処理液を併用したり、高分子フィルムやガラス上にインクを吐出してディスプレイ用カラーフィルターを作成したり、溶接状態の半田を基板上に吐出して部品実装用のバンプを形成したりする等、工業用に用いられる液滴吐出装置全般が広く含まれる。
【００５９】
また、これらの液滴吐出装置では、ＦＷＡに限らず、主走査機構と副走査機構を有するＰａｒｔｉａｌ  Ｗｉｄｔｈ  Ａｒｒａｙ（ＰＷＡ）に本発明を適用してもよい。さらに、マルチパスタイプではなく、１パスタイプであってもよい。
【図面の簡単な説明】
【００６０】
【図１】本発明のインクジェット記録装置の全体構成を示す概略図である。
【図２】本発明の第１実施形態のインクジェット記録装置のインクジェット記録ヘッドを部分的に示す斜視図である。
【図３】本発明の第１実施形態のインクジェット記録装置のインクジェット記録ヘッドを示し、（Ａ）は部分拡大斜視図、（Ｂ）は部分拡大分解斜視図である。
【図４】本発明の第１実施形態のインクジェット記録装置のインクジェット記録ヘッドを部分的に示す概念図である。
【図５】製造時と異なる温度環境化での長尺部材の形状とインク滴の吐出方向とを概念的に示す説明図であり、（Ａ）は本発明の第１実施形態の場合、（Ｂ）は比較例の場合である。
【図６】本発明の第２実施形態のインクジェット記録装置のインクジェット記録ヘッドを部分的に示す斜視図である。。
【図７】本発明の第２実施形態のインクジェット記録装置のインクジェット記録ヘッドを部分的に示す概念図である。。
【符号の説明】
【００６１】
１１２ インクジェット記録装置
１１４ 筐体
１１６ 給紙トレイ
１１８ ピックアップロール
１２０ 搬送ローラ対
１２２ 搬送経路
１２４ 駆動ロール
１２６ 従動ロール
１２８ 搬送ベルト
１２８Ｆ      平坦部分
１３０ 記録ヘッドアレイ
１３２ インクジェット記録ヘッド
１３２ 各インクジェット記録ヘッド
１３４ メンテナンスユニット
１３６ 帯電ロール
１４０ 剥離プレート
１４２ 排出ローラ対
１４４ 排出経路
１４６ 排紙トレイ
１４８ クリーニングロール
１５０ 反転用ローラ対
１５２ 反転経路
１５４ インクタンク
１５６ 枠体
１５８ 長辺
１６０Ａ      短辺
１６０Ｂ      短辺
１６２ 支持辺
１６４ 固定支持部材
１６４Ｈ      ネジ孔
１６６ スライド支持部材
１６８ 長尺部材
１６８Ａ      一端
１６８Ｂ      他端
１７０ ネジ
１７２ 溝部
１７４ 突条
１７６ ヘッド取付部
１７８ ヘッドユニット
１８２ インクジェット記録ヘッド
１８４ 固定支持部材
１９２ インクジェット記録ヘッド
Ｐ     用紙
ＳＥ   吐出領域
ＴＤ   ノズル面と用紙との距離
【図１】
2006256265.tif 000003
【図２】
2006256265.tif 000004
【図３】
2006256265.tif 000005
【図４】
2006256265.tif 000006
【図５】
2006256265.tif 000007
【図６】
2006256265.tif 000008
【図７】
2006256265.tif 000009